(57)【要約】【課題】人による点検工程や別個の検査装置を要せず、供給部から供給された線材を巻回部に巻回する工程内において、耐圧欠陥（傷やピンホール等）に対して必要最低限の補修を実施可能な欠陥自動補修巻線装置、および欠陥自動補修巻線方法を提供すること。【解決手段】本発明の一実施形態に係る欠陥自動補修巻線装置は、絶縁性の皮膜を有する線材を供給する線材供給部から供給された該線材を巻回部において巻回する欠陥自動補修巻線装置であって、上記線材の、上記巻回部に巻回された時に露出する側の領域における耐圧欠陥が存在する部位を少なくとも検出する検出手段と、該検出手段により検出された耐圧欠陥に対して絶縁物を塗布する塗布手段とを備える。【選択図】図１
2014053340.tif 000002
【特許請求の範囲】
【請求項１】
絶縁性の皮膜を有する線材を供給する線材供給部から供給された該線材を巻回部において巻回する欠陥自動補修巻線装置であって、
前記線材の、前記巻回部に巻回された時に露出する側の領域における耐圧欠陥が存在する部位を少なくとも検出する検出手段と、
前記検出手段により検出された耐圧欠陥に対して絶縁物を塗布する塗布手段と
を備えることを特徴とする欠陥自動補修巻線装置。
【請求項２】
前記検出手段は、前記線材の周方向における耐圧欠陥が存在する部位の位置を特定することを特徴とする請求項１に記載の欠陥自動補修巻線装置。
【請求項３】
前記検出手段は、
前記耐圧欠陥の前記線材の延在方向における位置に関する第１の位置情報を取得する第1の検出手段と、
前記第１の検出手段により検出された耐圧欠陥の、前記線材の周方向の位置に関する第２の位置情報を取得する第２の検出手段とを有し、
前記塗布手段は、前記第１および第２の位置情報に基づいて、前記線材が前記巻回部に巻回された時に露出する耐圧欠陥には少なくとも前記絶縁物を塗布することを特徴とする請求項１または２に記載の欠陥自動補修巻線装置。
【請求項４】
絶縁性の皮膜を有する線材を供給する線材供給部から供給された該線材を巻回部において巻回する欠陥自動補修巻線方法であって、
前記巻回部に巻回される前に、前記線材の、前記巻回部に巻回された時に露出する側の領域における耐圧欠陥が存在する部位を少なくとも検出する工程と、
前記検出工程により検出によりされた耐圧欠陥に対して絶縁物を塗布する塗布工程と
を有することを特徴とする欠陥自動補修巻線方法。
【請求項５】
前記検出工程は、前記線材の周方向における耐圧欠陥が存在する部位の位置を特定することを特徴とする請求項４に記載の欠陥自動補修巻線方法。
【請求項６】
前記検出工程は、
前記耐圧欠陥の前記線材の延在方向における位置に関する第１の位置情報を取得する第1の検出工程と、
前記第１の検出工程により検出された耐圧欠陥の、前記線材の周方向の位置に関する第２の位置情報を取得する第２の検出工程とを有し、
前記塗布工程は、前記第１および第２の位置情報に基づいて、前記線材が前記巻回部に巻回された時に露出する耐圧欠陥には少なくとも前記絶縁物を塗布することを特徴とする請求項４または５に記載の欠陥自動補修巻線方法。
【発明の詳細な説明】
【技術分野】
【０００１】
本発明は、欠陥自動補修巻線装置、および欠陥自動補修巻線方法に関し、より詳細には、線材の供給部から該線材が巻回される巻回部に供給される線材の耐圧欠陥（傷やピンホール等）を補修する欠陥自動補修巻線装置、および欠陥自動補修巻線方法に関するものである。
【背景技術】
【０００２】
従来、特許文献１で提案されているエナメル線表面の検査装置は、エナメル線を製造・コイル巻取りする装置において、エナメル線の皮膜の突起の不良、および該皮膜の絶縁欠陥の検出・不良数の計数を行い、製品１つ当たりに存在した不良箇所の数とその位置を記録する。これにより、オペレータの個別点検する際の点検効率を向上させている。また、不良数が多い場合は警報を発して、上記不良の大量発生の未然防止を行っている。
【０００３】
また、特許文献２では、絶縁皮膜を有するコイル線材の一端から巻装部材に至る経路の途中に電極部を配置し、この電極部とコイル線材との間に電圧を印加している。コイル線材の絶縁皮膜に傷やピンホール等の欠陥がある場合は、上記電圧印加時に、電極部近傍を通過するコイル線材の絶縁被膜の欠陥に起因して電極部とコイル線材との間に放電電流が発生するので、該放電電流を検出することで上記欠陥を検出している。
【０００４】
さらに、特許文献３では、コイルへのワニス塗布において、シャフトを軸として自転する回転コイルの整流子側巻線部に絶縁ワニスを滴下して含浸させた後、この回転子をそのまま自転させながらシャフトの下の位置まで絶縁ワニス中に浸漬し、巻線部全体に絶縁ワニスを含浸させることにより、不要部へのワニスの付着を防止し、かつコイル全体にワニスを含浸するワニス含浸方法が提案されている。
【先行技術文献】
【特許文献】
【０００５】
【特許文献１】特開２００３−２７２４５７号公報
【特許文献２】特開２００８−４２１４７号公報
【特許文献３】特許第２５７５７２６号公報
【発明の概要】
【発明が解決しようとする課題】
【０００６】
従来、コイルなどの巻線製品は、ＪＩＳなどで許容されている素材であるエナメル線に存在するピンホールといった耐圧欠陥の修復などを目的として、コイル製品となった状態で製品全体のコイル部分のみにワニス含浸処理を行っている。このとき、特許文献３にあるように、不必要な部分（特許文献３で言えば、例えばシャフトなど）へのワニス付着を防止するための方策が必要となる。
【０００７】
上記不要な部分へのワニス付与を回避する方法として、特許文献１，２に示すような、コイル線材のピンホールの巻き方向の位置を特定する方法を用い、該特定されたピンホールの位置に対してワニス塗布を行うことが考えられる。しかしながら、特許文献１、２では、コイル線材のピンホールの巻き方向の位置、すなわち、コイル線材の延在方向に沿った一次元座標軸における位置を特定するのみであるので、該ピンホールの位置を特定する位置情報のみでは、コイル線材がボビン等の被巻装部品に巻回された後に特定されたピンホールが表面に露出しているか否かについては分からない。
【０００８】
従って、ピンホールの補修においては、被巻装部品へのコイル線材の巻回が終了した後に、巻回済みの被巻装部品を巻線装置から取り外し、巻回されたコイル線材の表面に存在するピンホールの位置の検出を人が行うか、あるいは別個の検査装置にて上記表面に存在するピンホールの検出を行い、上記人の点検工程または特別な検査装置により検出されたピンホールにワニスを塗布することになる。このように、特許文献１、２に開示された技術を用いる場合、ピンホールの修復を巻き取った後に実施するか、あるいはピンホールが所定数よりも多いことをユーザに通知する警報を発するだけである。
【０００９】
あるいは、特許文献１、２に開示された技術を用いてピンホールの補修を行う場合の他の形態として上記人の点検工程または特別な検査装置を用いない場合は、上記位置情報によりピンホールが存在すると特定された箇所には必ずワニスを塗布する必要がある。何故ならば、上述のように、上記位置情報では、ピンホールの発生箇所としてコイル線材の延在方向（長手方向）における一次元の位置しか特定できないので、被巻装部品の巻回された後の状態において、ピンホールが表面に露出した位置にあるのか、あるいは表面から隠れた位置にあるのかが分からない。よって、ピンホールの補修の漏れを防ぐためには、ピンホールが露出しているか否かに関わらず位置情報にて特定された箇所の全てに対してワニスを塗布する必要がある。よって、被巻装部品に巻き取られた後において、表面から隠れた箇所にピンホールがある場合は、ワニスが付与されたとしてもピンホールが存在していない領域に塗布されることになり、不要なワニス付与に繋がってしまう。
【００１０】
本発明は、このような課題に鑑みてなされたもので、その目的とするところは、人による点検工程や別個の検査装置を要せず、供給部から供給された線材を巻回部に巻回する工程内において、耐圧欠陥（傷やピンホール等）に対して必要最低限の補修を実施可能な欠陥自動補修巻線装置、および欠陥自動補修巻線方法を提供することにある。
【課題を解決するための手段】
【００１１】
このような目的を達成するために、本発明の第１の態様は、絶縁性の皮膜を有する線材を供給する線材供給部から供給された該線材を巻回部において巻回する欠陥自動補修巻線装置であって、前記線材の、前記巻回部に巻回された時に露出する側の領域における耐圧欠陥が存在する部位を少なくとも検出する検出手段と、前記検出手段により検出された耐圧欠陥に対して絶縁物を塗布する塗布手段とを備えることを特徴とする。
【００１２】
本発明の第２の態様は、絶縁性の皮膜を有する線材を供給する線材供給部から供給された該線材を巻回部において巻回する欠陥自動補修巻線方法であって、前記巻回部に巻回される前に、前記線材の、前記巻回部に巻回された時に露出する側の領域における耐圧欠陥が存在する部位を少なくとも検出する工程と、前記検出工程により検出によりされた耐圧欠陥に対して絶縁物を塗布する塗布工程とを有することを特徴とする。
【発明の効果】
【００１３】
本発明によれば、人による点検工程や別個の検査装置を要せず、供給部から供給された線材を巻回部に巻回する工程内において、耐圧欠陥に対して必要最低限の補修を実施可能である。
【図面の簡単な説明】
【００１４】
【図１】本発明の一実施形態に係る欠陥自動補修巻線装置の概略構成図である。
【図２】本発明の一実施形態に係る欠陥自動補修巻線装置の一部を示す斜視図である。
【図３】本発明の一実施形態に係る欠陥検出センサを説明するための図である。
【図４】（ａ）〜（ｄ）は、本発明の一実施形態に係る欠陥検出センサを説明するための図である。
【図５】本発明の一実施形態に係る塗布ノズルの制御を説明するための図である。
【図６】本発明の一実施形態に係る制御系の概略構成を示すブロック図である。
【図７】本発明の一実施形態に係る耐圧欠陥の検出・自動補修の処理手順を示すフローチャートである。
【図８】本発明の一実施形態に係る塗布制御部が実行する処理手順を示すフローチャートである。
【図９】本発明の一実施形態に係る欠陥自動補修巻線装置の一部を示す斜視図である。
【図１０】本発明の一実施形態に係る欠陥検出センサを説明するための図である。
【発明を実施するための形態】
【００１５】
以下、図面を参照して、本発明の実施の形態を説明するが、本発明は本実施形態に限定されるものではない。なお、以下で説明する図面で、同機能を有するものは同一符号を付け、その繰り返しの説明は省略することもある。
【００１６】
（第１の実施形態）
図１は、本実施形態に係る欠陥自動補修巻線装置の概略構成図である。
図１において、欠陥自動補修巻線装置１００は、供給側巻線ユニット１０１と、張力制御装置１０２と、エナメル線１０５に存在する耐圧欠陥（傷やピンホール等）を検出する欠陥特定部１０３と、巻き取り側巻線ユニット１０４とを備えている。この欠陥自動補修巻線装置１００は、供給側巻線ユニット１０１が有するサプライリール１０６に巻回された、線材としてのエナメル線１０５を、供給側巻線ユニット１０１と巻き取り側巻線ユニット１０４との間に設けられた張力制御装置１０２にて所定の張力を付与しながら、巻き取り側巻線ユニット１０４が有する被巻装部品としてのボビン１１１に巻装させる。
なお、本明細書において、「線材」は、その表面に絶縁性の皮膜を有するものであり、導線といった線部と、該線部を被覆する絶縁性の皮膜とを有している。本実施形態では、線材はエナメル線である。
【００１７】
供給側巻線ユニット１０１は、供給すべきエナメル線が巻回されたサプライリール１０６を有しており、該サプライリール１０６に巻回されたエナメル線１０５を、エナメル線１０５の流れの後流側（単に、「後流側」と呼ぶこともある）に設けられた巻き取り側巻線ユニット１０４へと供給する。供給側巻線ユニット１０１は、サプライリール１０６が着脱される領域を有しており、巻回動作時には、該領域に供給すべきエナメル線を有するサプライリール１０６が配置される。
【００１８】
供給側巻線ユニット２０１の後流側には、張力制御装置１０２が設けられている。該張力制御装置１０２は、入力されたコマンドに従って、エナメル線１０５に所定の張力を付与するように構成されている。なお、張力制御装置１０２は、入力されるコマンドに応じて付与される張力を調節できるものであればいずれの構成を用いても良いことは言うまでも無い。
【００１９】
張力制御装置１０２の後流側には、欠陥特定部１０３が設けられている。該欠陥特定部１０３は、エナメル線１０５の耐圧欠陥を検出する第１の欠陥検出センサ１０７と、４つのセンサ部を有し、エナメル線１０５の周方向のある部位に存在する耐圧欠陥を検出する第２の欠陥検出センサ１０８と、エナメル線１０５の送り速度（巻き取り速度）を検出する速度センサ１０９と、入力された情報に基づいてエナメル線１０５の延在方向および周方向における耐圧欠陥の位置を特定する欠陥部位演算部１１０と、第１の欠陥検出センサ１０７の検出結果により耐圧欠陥の有無を検出し、耐圧欠陥の延在方向の位置に関する第１の位置情報を出力する第１の欠陥検出部１１１と、第２の欠陥検出センサ１０８の検出結果により耐圧欠陥のエナメル線１０５の周方向の位置を特定するための情報（時刻情報）を出力する第２の欠陥検出部１１２とを有している。欠陥特定部１０３は、第１の欠陥検出センサ１０７により耐圧欠陥の有無およびエナメル線１０５の進行方向（延在方向）の欠陥位置を検知し、第２の欠陥検出センサ１０８のどのセンサ部で検出したかにより、エナメル線１０５の周方向のどの部位に欠陥が存在するかを検知する。
【００２０】
欠陥特定部１０３の後流側には、巻き取り側巻線ユニット１０４が設けられている。該巻き取り側巻線ユニット１０４は、エナメル線を巻回させる被巻装部品といった巻回部としてのボビン１１３と、ボビン１１３に巻回されるエナメル線１０５の所定箇所にワニスを塗布する塗布ノズル１１４と、該塗布ノズル１１４の動作を制御する塗布制御部１１５とを有する。
なお、本実施形態では、補修に用いる材料としてワニスを用いているが、これに限らず、例えば、絶縁シール材、絶縁テープなど、補修材として機能する絶縁物であればいずれを用いても良い。
【００２１】
図２は、本実施形態に係る欠陥自動補修巻線装置１００の主要部を示す斜視図である。
図２において、第１の欠陥検出センサ１０７は、エナメル線１０５の周方向全体を測定できるよう該エナメル線１０５の周全体を覆うように電極を配置した構成であり、耐圧試験電圧（例えば、２ｋＶ）を印加することにより、エナメル線１０５上に存在する耐圧欠陥を検出することができる。本実施形態では、上述のように第１の欠陥検出センサ１０７にて印加される耐圧試験電圧を例えば２ｋＶとすることにより、エナメル線上に存在する耐圧欠陥のうち線部（芯線）が露出していないものについては絶縁破壊によりピンホールのように線部が露出するようになる。よって、後述する第２の欠陥検出センサ１０８にて印加する試験電圧を、ピンホールを検出できる程度の電圧（例えば、０．５ｋＶ）まで小さくすることができる。すなわち、第１の欠陥検出センサ１０７にて印加される電圧を、線部が露出するまでには至っていない耐圧欠陥が絶縁破壊する程度の電圧とすることにより、上記線部が露出するまでには至っていない耐圧欠陥をピンホールにすることができ、第２の欠陥検出センサ１０８における試験電圧を小さくすることができる。なお、上述のように第１の欠陥検出センサ１０７により新たにピンホールが生成されても、該新たに生成されたピンホールの元の状態は耐圧欠陥であることには変わりは無く、本実施形態の後工程においてワニスが塗布されて補修されるので問題は無い。
【００２２】
図３は、第１の欠陥検出センサ１０７を説明するための図である。第１の欠陥検出センサ１０７は、８つの電極ブラシ１０７ａを有している。該８つの電極ブラシ１０７ａは、エナメル線１０５の外周の全てを網羅するように設けられている。このような構成において、第１の欠陥検出センサ１０７は、８つの電極ブラシ１０７ａにて耐圧欠陥に起因する放電電流を検出し、該検出信号を第１の欠陥検出部１１１に送信する。
なお、第１の欠陥検出センサ１０７は、例えばリング状の電極など、エナメル線１０５の周方向の全ての領域において耐圧欠陥（放電電流）を検出できる構成、すなわち、耐圧欠陥が周方向のいずれの部位にあっても、その存在を検知できる構成であればいずれの構成であっても良い。
【００２３】
第１の欠陥検出部１１１は、第１の欠陥検出センサ１０７から検出信号を受信すると、エナメル線１０５に耐圧欠陥があると判断し、所定時（例えば、巻線動作開始時）からの経過時間を計時するタイマシステム２０１を参照して、第１の欠陥検出センサ１０７にて耐圧欠陥を検知した時刻Ｔ１を取得し、第１の位置情報としての、時刻Ｔ１を示す第１の時刻情報を欠陥部位演算部１１０に送る。
【００２４】
本実施形態では、タイマシステム２０１は、巻線動作開始時（エナメル線１０５の供給（送り）開始時）に計時を開始する。よって、タイマシステム２０１により得られる時刻は、巻線動作開始時からの経過時間となる。エナメル線１０５の送り速度が一定であれば、巻線動作開始時の、第１の欠陥検出センサ１０７の計測点における、エナメル線１０５の部位（計測開始時部位）が時刻Ｔ１までに進んだ距離は、定数となる送り速度と経過時間である時刻Ｔ１との積である。すなわち、本実施形態においては、時刻Ｔ１は、エナメル線１０５の供給経路に沿った計測開始時部位の移動した距離と比例する。よって、時刻Ｔ１は、時刻Ｔ１におけるエナメル線１０５の上記計測点に対応する部位が計測開始時部位からエナメル線１０５に沿ってどれだけの距離に位置するのかを示すことになり、耐圧欠陥のエナメル線１０５の延在方向の位置に関する第１の位置情報と言えるのである。
【００２５】
第２の欠陥検出センサ１０８は、４つの電極ブラシ１０８ａ〜１０８ｄを有しており、該電極ブラシ１０８ａ〜１０８ｄはそれぞれ、ピンホールといった耐圧欠陥を検出できる試験電圧（例えば、０．５ｋＶ）を印加することにより、耐圧欠陥の検出を行うことができる。図４（ａ）〜４（ｄ）は、第２の欠陥検出センサ１０８を説明するための図である。電極ブラシ１０８ａ〜１０８ｄはそれぞれ、エナメル線１０５の周方向の一部の範囲のみを検出するように構成されている。図４（ａ）〜（ｄ）に示されるように、電極ブラシ１０８ａ〜１０８ｄは、エナメル線１０５の送り方向（エナメル線１０５の延在方向）に沿って互いに離間し、互いの欠陥検出範囲が重ならないように設けられている。すなわち、電極ブラシ１０８ａは、図４（ａ）に示されるように、エナメル線１０５の周方向の第１の１／４の領域（図４におけるエナメル線１０５の周方向の左下側の領域）に存在する耐圧欠陥を検出し、電極ブラシ１０８ｂは、図４（ｂ）に示されるように、エナメル線１０５の周方向の第２の１／４の領域（図４におけるエナメル線１０５の周方向の左上側の領域）に存在する耐圧欠陥を検出する。また、電極ブラシ１０８ｃは、図４（ｃ）に示されるように、エナメル線１０５の周方向の第３の１／４の領域（図４におけるエナメル線１０５の周方向の右上側の領域）に存在する耐圧欠陥を検出し、電極ブラシ１０８ｄは、図４（ｄ）に示されるように、エナメル線１０５の周方向の第４の１／４の領域（図４におけるエナメル線１０５の周方向の右下側の領域）に存在する耐圧欠陥を検出する。このような構成において、第２の欠陥検出センサ１０８は、電極ブラシ１０８ａ〜１０８ｄにて耐圧欠陥に起因する放電電流を検出し、該検出信号を第２の欠陥検出部１１２に送信する。
【００２６】
本実施形態では、電極ブラシ１０８ｂ、１０８ｃは、エナメル線１０５がボビン１１３に巻き取られた場合に露出する側の耐圧欠陥を検出するものであり、電極ブラシ１０８ａ、１０８ｄは、エナメル線１０５がボビン１１３に巻き取られた場合に隠れる側の耐圧欠陥を検出するものである。
【００２７】
なお、本実施形態では、センサ部としての電極ブラシを４つ配置しているが、この数には限定されず、４つ以上であっても良いし、２つまたは３つであっても良い。すなわち、複数のセンサ部を設ければ良いのである。ただし、欠陥検出範囲が互いに重ならず、かつ複数のセンサ部の全てによって周方向の全ての領域を検出対象とするように複数のセンサ部を設けることが好ましい。
【００２８】
第２の欠陥検出部１１２は、第２の欠陥検出センサ１０８から検出信号を受信すると、周方向に配置された４つのセンサ部としての電極ブラシ１０８ａ〜１０８ｄのいずれか１つで耐圧欠陥を検出したと判断し、所定時（例えば、巻線動作開始時）からの経過時間を計時するタイマシステム２０１を参照して、第２の欠陥検出センサ１０８にて耐圧欠陥を検知した時刻Ｔ２を取得し、第２の位置情報としての、時刻Ｔ２を示す第２の時刻情報を欠陥部位演算部１１０に送る。
【００２９】
本実施形態では、第２の欠陥検出部１１２が第２の欠陥検出センサ１０８から検出信号を受信した段階では、第２の欠陥検出部１１２は、電極ブラシ１０８ａ〜１０８ｄのいずれで耐圧欠陥が検出されたのかは分からない。しかしながら、電極ブラシ１０８ａ〜１０８ｄはそれぞれ、エナメル線１０５の送り方向に沿って互いに離間して設けられているので、電極ブラシ１０８ａ〜１０８ｄにて耐圧欠陥を検出する時刻Ｔ２は互いに異なる値となる。すなわち、時刻Ｔ２は、検出した電極ブラシの位置に応じて変わる変数である。このように、時刻Ｔ２の値は、耐圧欠陥を検出した電極ブラシに対応しているので、後述の欠陥部位演算部１１０にて上記時刻Ｔ２を用いた演算により得られた結果により、耐圧欠陥を検出した電極ブラシを特定することができる。
【００３０】
速度センサ１０９は、供給側巻線ユニット１０１側から巻き取り側巻線ユニット１０４側へと供給されているエナメル線１０５の供給速度（送り速度）Ｖを検出し、該供給速度Ｖに関する速度情報Ｖを欠陥部位演算部１１０に送る。速度センサ１０９としては、上述のように供給速度を測定できるものであればいずれの構成を用いても良い。例えば、エナメル線１０５を送るための駆動部に設けられたロータリエンコーダを速度センサ１０９としても良い。
【００３１】
欠陥部位演算部１１０は、第１の欠陥検出部１１１から送られた第１の時刻情報と、第２の欠陥検出部１１２から送られた第２の時刻情報と、速度センサ１０９から送られた速度情報とに基づいて、エナメル線１０５の周方向のどこの部位に耐圧欠陥が存在するのかを特定する。すなわち、欠陥部位演算部１１０は、第１の欠陥検出センサ１０７と第２の欠陥検出センサ１０８とにおける欠陥検出時刻の差（Ｔ１−Ｔ２）を計算し、該欠陥検出時刻の差（Ｔ１−Ｔ２）と供給速度Ｖとの積を計算することにより、第１の欠陥検出センサ１０７から第２の欠陥検出センサ１０８における実際に耐圧欠陥を検出した電極ブラシまでの距離Ｌを算出する。第１の欠陥検出センサ１０７および電極ブラシ１０８ａ〜１０８ｄはそれぞれ固定されているので、第１の欠陥検出センサ１０７と電極ブラシ１０８ａとの間の距離Ｌａ、第１の欠陥検出センサ１０７と電極ブラシ１０８ｂとの間の距離Ｌｂ、第１の欠陥検出センサ１０７と電極ブラシ１０８ｃとの間の距離Ｌｃ、および第１の欠陥検出センサ１０７と電極ブラシ１０８ｄとの間の距離Ｌｄはそれぞれ一定である。よって、後述する制御装置２００のメモリ部に電極ブラシ１０８ａ〜１０８ｄとそれらに対応する距離Ｌａ〜Ｌｄとを関連付けてテーブル化して保持しておく。欠陥部位演算部１１０は、予め保持された距離Ｌａ〜Ｌｄと、上記算出した距離Ｌとを比較し、上記テーブルを参照して、算出した距離Ｌと一致する距離を有する電極ブラシを抽出する。このようにして、欠陥部位演算部１１０は、耐圧欠陥を検出した電極ブラシを特定すること、すなわち、エナメル線１０５の周方向の耐圧欠陥が存在する部位を特定することができる。
【００３２】
欠陥部位検出部１１０は、上記特定された電極ブラシを示す情報を、耐圧欠陥のエナメル線１０５の周方向の位置に関する第２の位置情報として取得する。本実施形態では、上述のように、周方向に沿って配置された電極ブラシ１０８ａ〜１０８ｄのいずれか１つが耐圧欠陥を検出するので、耐圧欠陥を検出した電極ブラシの欠陥検出範囲内に耐圧欠陥が存在することになる。よって、第２の欠陥検出センサ１０８において耐圧欠陥を検出した電極ブラシ（センサ部）を特定することは、周方向における耐圧欠陥の位置を特定したことと等価であり、上記特定された電極ブラシを示す情報は第２の位置情報と言えるのである。欠陥部位検出部１１０は、第１の時刻情報である第1の位置情報、および上記特定された電極ブラシを示す情報である第２の位置情報を塗布制御部１１５に送る。
【００３３】
塗布制御部１１５は、欠陥部位検出部１１０から送られた第１の位置情報および第２の位置情報に基づいて、ワニスを塗布する位置を演算し、該演算により得られたワニス塗布位置にてワニスが塗布されるように塗布ノズル１１４を動作させる。該塗布ノズル１１４は、塗布制御部１１５からの制御信号に従って、図２中のＸ−Ｙ平面内で移動可能に構成されている。すなわち、塗布ノズル１１４は、塗布制御部１１５から出力された制御信号にて特定される位置に塗布ノズル１１４を移動させるように駆動する駆動部（不図示）を有している。
【００３４】
本実施形態では、塗布制御部１１５は、エナメル線１０５がボビン１１３に巻かれた後に耐圧欠陥が隠れる位置にある場合（耐圧欠陥がボビン１１３側に存在する場合）は、エナメル線１０５の耐圧欠陥が存在する領域が巻かれる一周前の、該耐圧欠陥が来る位置にワニスを塗布するように塗布ノズル１１４を制御する。このように制御することにより、耐圧欠陥が存在する領域が巻かれた際に、隠れた側に存在する耐圧欠陥には一周前にすでに塗布されたワニスが付与されることになる。一方、塗布制御部１１５は、エナメル線１０５がボビン１１３に巻かれた後に耐圧欠陥が見える位置にある場合（耐圧欠陥がボビン１１３とは反対側、すなわち、露出する側に存在する場合）は、エナメル線１０５をボビン１１３に巻いた直後に耐圧欠陥が存在する場所にワニスを塗布するように塗布ノズル１１４を制御する。
【００３５】
具体的には、塗布制御部１１５は、欠陥部位演算部１１０から送られた第２の位置情報に基づいて、対象となる耐圧欠陥が露出側に存在するのか、隠れる側に存在するのかを判定する。上述のように、電極ブラシ１０８ｂ、１０８ｃが露出する側の耐圧欠陥を検出するものであり、電極ブラシ１０８ａ、１０８ｄが隠れる側の耐圧欠陥を検出するものであるので、塗布制御部１１５は、第２の位置情報が示す欠陥部位検出部１１０にて特定された電極ブラシが電極ブラシ１０８ｂ、１０８ｃである場合は、対象となる耐圧欠陥は露出する側にあると判断し、第２の位置情報が示す欠陥部位検出部１１０にて特定された電極ブラシが電極ブラシ１０８ａ、１０８ｄである場合は、対象となる耐圧欠陥は隠れる側にあると判断する。
【００３６】
一方、上述のように、第１の時刻情報である第１の位置情報によって、エナメル線１０５における耐圧欠陥の位置を特定することができるので、塗布制御部１１５は、第１の位置情報により対象となる耐圧欠陥がボビン１１３に到着する前に、ワニスを塗布すべき位置に塗布ノズル１１４を移動させておき、耐圧欠陥が塗布ノズル１１４と対向する位置に到着するとワニスが塗布されるように塗布ノズル１１４を制御する。第１の欠陥検出センサ１０７とボビン１１３との間の距離は不変である。ここで、供給速度Ｖも一定であれば、第１の欠陥検出センサ１０７を通過した耐圧欠陥がボビン１１３に到着するまでの到着時間を算出することができる。すなわち、塗布制御部１１５は、速度センサ１０９より取得された供給速度Ｖと、予め入力された第１の欠陥検出センサ１０７とボビン１１３との間の距離とにより、上記到着時間を算出し、タイマシステム２０１を参照して、第１の欠陥検出センサ１０７にて耐圧欠陥検出された時刻Ｔ１から上記到着時間が経過する前に、塗布ノズル１１４を適切な位置に移動させるのである。
【００３７】
例えば、図５に示すボビン１１３において、エナメル線が巻装される巻装部５０１に該エナメル線が２０巻きされる場合、巻装部５０１においてエナメル線１０５が通過する領域は２０箇所存在することになる。図５において、符号５０２ａは、１巻き目の通過領域であり、符号５０２ｂは、２巻き目の通過領域であり、符号５０２ｃは、２０巻き目の通過領域である。これら各通過領域には、２つずつワニスの塗布ポイントが対応している。本実施形態では、図２、５から分かるように、エナメル線１０５を上から見た場合、例えば右側（一方側）を電極ブラシ１０８ａ、１０８ｂにて検知し、左側（他方側）を電極ブラシ１０８ｃ、１０８ｄにて検知する。よって、１巻き目のエナメル線が通過する通過領域５０２ａにおいては、電極ブラシ１０８ｃ、１０８ｄにて耐圧欠陥が検出された場合は塗布ポイント５０３ａからワニスを塗布し、電極ブラシ１０８ａ、１０８ｂにて耐圧欠陥が検出された場合は塗布ポイント５０３ｂからワニスを塗布する。また、２巻き目のエナメル線が通過する領域５０２ｂにおいては、電極ブラシ１０８ｃ、１０８ｄにて耐圧欠陥が検出された場合は塗布ポイント５０３ｃからワニスを塗布し、電極ブラシ１０８ａ、１０８ｂにて耐圧欠陥が検出された場合は塗布ポイント５０３ｄからワニスを塗布する。さらに、２０巻き目のエナメル線が通過する通過領域５０２ｃにおいては、電極ブラシ１０８ｃ、１０８ｄにて耐圧欠陥が検出された場合は塗布ポイント５０３ｅからワニスを塗布し、電極ブラシ１０８ａ、１０８ｂにて耐圧欠陥が検出された場合は塗布ポイント５０３ｆからワニスを塗布する。
【００３８】
なお、本実施形態では、巻装部５０１にエナメル線が２０巻きされる場合、エナメル線が２０巻きされた時をエナメル線が一周巻かれたと称することにする。よって、ボビンの巻装部にエナメル線といった線材がＮ巻きされる場合は、エナメル線が一周巻かれた状態とは、巻装部に線材がＮ回巻かれた状態であり、エナメル線が二周巻かれた状態とは、すでにエナメル線が一周巻かれた状態からさらにエナメル線が一周巻かれた状態を指す。
【００３９】
本実施形態では、第１の時刻情報である第１の位置情報と、タイマシステム２０１の計時情報に基づいて、対象となる耐圧欠陥に応じて塗布ノズル１１４からワニスが塗布される位置を１巻き目〜２０巻き目の塗布ポイント５０３ａ〜５０３ｆのいずれかに設定する。本実施形態では、エナメル線の送り速度は一定であるので、ボビン１１３が１周する際にかかる時間Ｔ３（１巻きにかかる時間）は一定である。よって、巻線動作開始時から最初の時間Ｔ３間はエナメル線１０５は通過領域５０２ａを通過することになり、次の時間Ｔ３間（時刻１×Ｔ３〜時刻２×Ｔ３間）は通過領域５０２ｂを通過することになり、２０番目の時間Ｔ３間（時刻１９×Ｔ３〜時刻２０×Ｔ３）はエナメル線１０５は通過領域５０２ｃを通過することになる。塗布制御部１１５は、第１の時刻情報が示す時刻Ｔ１がどの塗布ポイントに対応する時間帯に属するかを判定し、対応する通過領域を特定する。次いで、塗布制御部１１５は、第２の位置情報から検出が行われた電極ブラシを特定し、各通過領域に対応する２つの塗布ポイントのうち、特定された電極ブラシに対応する方の塗布ポイントにワニスが塗布されるように塗布ノズル１１４を移動させる。
【００４０】
例えば、対象となる耐圧欠陥が露出する側であって、上記第２の１／４領域に存在し、時刻Ｔ１が、巻線動作開始時から時間Ｔ３経過する前の時刻であれば、塗布制御部１１５は、ワニスとを塗布すべき通過領域として通過領域５０２ａを抽出する。次いで、塗布制御部１１５は、第２の位置情報に基づいて検出された電極ブラシは電極ブラシ１０８ｂであることを特定し、塗布ポイント５０３ｂにワニスが塗布されるように塗布ノズル１１４を移動させ、タイマシステム２０１を参照して時刻Ｔ１から到着時間だけ経過したらワニスを塗布するように塗布ノズル１１４を制御する。
【００４１】
また、第２の位置情報により、対象となる耐圧欠陥が隠れる側に存在すると判断される場合、塗布制御部１１５は、第１の位置情報に基づいて、対象となる耐圧欠陥のエナメル線１０５の延在方向の位置を認識し、該対象となる耐圧欠陥が存在するエナメル線１０５の領域がボビン１１３に巻かれるちょうど一周前の領域にワニスが塗布されるように塗布ノズル１１４が位置するように塗布ノズル１１４の移動を制御する。例えば、エナメル線の巻装が一周目の場合は、一周前の状態は巻装部５０１にはエナメル線が巻かれていないので、巻装部５０１の表面にワニスを塗布しておく。よって、例えば、耐圧欠陥が上記第４の１／４領域に存在し、時刻Ｔ１が、時刻１９×Ｔ３〜時刻２０×Ｔ３の間の時刻であれば、エナメル線１０５が通過領域５０２ｃに到達する前に該塗布ポイント５０３ｅにワニスが塗布されるように塗布ノズル１１４を移動させ、巻装部５０１の表面における、対象となる耐圧欠陥が位置すると予想される箇所にワニスを塗布しておく。また、例えば、耐圧欠陥が第１の１／４領域に存在し、時刻Ｔ１が、時刻３×（１×Ｔ３）〜時刻３×（２×Ｔ３）の間の時刻であれば（エナメル線の巻装が三周目の２巻き目の場合）、巻装三周目のエナメル線１０５が通過領域５０２ｂに到達する前に該塗布ポイント５０３ｄにワニスが塗布されるように塗布ノズル１１４を移動させ、すでに二周目の巻装が完了しているエナメル線における、対象となる耐圧欠陥が位置すると予想される箇所にワニスを塗布しておく。
【００４２】
このように、本実施形態では、第１の位置情報および第２の位置情報に基づいて、塗布制御部１１５は塗布ノズル１１４を制御して、第１の欠陥検出センサ１０７および第２の欠陥検出センサ１０８にて検出された耐圧欠陥にピンポイントでワニスを塗布する。
【００４３】
図６は、本実施形態の欠陥自動補修巻線装置１００における制御系の概略構成を示すブロック図である。
制御装置２００は、欠陥自動補修巻線装置１００全体を制御する制御手段としての制御部である。この制御装置２００は、種々の演算、制御、判別などの処理動作を実行するＣＰＵ６０１、およびこのＣＰＵ６０１によって実行される様々な制御プログラム（例えば、図７、８に示すプログラム）などを格納するＲＯＭ６０２を有する。また、制御装置２００は、ＣＰＵ６０１の処理動作中のデータや入力データなどを一時的に格納するＲＡＭ６０３、フラッシュメモリやＳＲＡＭ等の不揮発性メモリ６０４、およびタイマシステム２０１などを有する。制御装置２００には、入力操作部６０７および表示部６０８が接続されている。入力操作部６０７は、所定の指令あるいはデータなどを入力するキーボードあるいは各種スイッチなどを含む。表示部６０８は、欠陥自動補修巻線装置１００の入力・設定状態などをはじめとする種々の表示を行う。さらに、制御装置７００には、第１の欠陥検出センサ１０７、第２の欠陥検出センサ１０８、塗布ノズル１１４を駆動させるための塗布ノズル駆動部６０９、および巻装が実行されるようにボビン１１３を回転させるための巻装駆動部６１０が電気的に接続されている。
【００４４】
図７は、本実施形態に係る欠陥自動補修巻線装置１００による耐圧欠陥の検出・自動補修の処理手順を示すフローチャートである。
供給側巻線ユニット１０１にサプライリール１０６が配置され、巻き取り側巻線ユニット１０４にボビン１１３が配置されると、巻線動作の開始準備が整う。この状態で、例えば入力操作部６０７を介してユーザから巻線開始指示が入力されると、本実施形態に係る巻線動作が開始される。ステップＳ７０１では、第１の欠陥検出部１１１は、第１の欠陥検出センサ１０７にて耐圧欠陥が検出されたか否かを判定する。第１の欠陥検出センサ１０７から耐圧欠陥に起因する放電電流を検出したことを示す検出信号を受信した場合は、第１の欠陥検出部１１１は、第１の欠陥検出センサ１０７にて耐圧欠陥が検出されたと判断し、ステップＳ７０２に進む。ステップＳ７０２では、第１の欠陥検出部１１１は、第１の欠陥検出センサ１０７にて耐圧欠陥を検知した時刻Ｔ１を取得し、該時刻Ｔ１を示す第１の位置情報を取得する。
【００４５】
ステップＳ７０３では、第２の欠陥検出部１１２は、第２の欠陥検出センサ１０８にて耐圧欠陥が検出されたか否かを判定する。第２の欠陥検出センサ１０８から耐圧欠陥に起因する放電電流を検出したことを示す検出信号を受信した場合は、第２の欠陥検出部１１２は、第２の欠陥検出センサ１０８にて耐圧欠陥が検出されたと判断し、ステップＳ７０４に進む。ステップＳ７０４では、第２の欠陥検出部１１２は、第２の欠陥検出センサ１０８にて耐圧欠陥を検知した時刻Ｔ２を取得し、該時刻Ｔ２を示す第２の時刻情報を取得する。
【００４６】
ステップＳ７０５では、欠陥部位演算部１１０は、ステップＳ７０２およびステップＳ７０４にて取得された第１の位置情報および第２の時刻情報に基づいて、第１の欠陥検出センサ１０７と第２の欠陥検出センサ１０８とにおける欠陥検出時刻の差（Ｔ１−Ｔ２）を演算し、該演算結果により第２の位置情報を取得する。ステップＳ７０６では、欠陥部位演算部１１０は、ステップＳ７０５にて取得された第２の位置情報を塗布制御部１１５に送る。ステップＳ７０７では、制御装置２００は、現在の巻線動作を終了させるか否かを判断し、巻線動作が終了ではないと判断する場合は、ステップＳ７０１に戻り、巻線動作が終了であると判断する場合は、巻線動作を終了する。例えば、巻線動作の終了の判断は、入力操作部６０７を介してユーザが終了指示を入力したか否かによって行えば良い。
【００４７】
図８は、本実施形態に係る塗布制御部１１５が実行する処理手順を示すフローチャートである。
ステップＳ７０６により最初の耐圧欠陥に関する第１、第２の位置情報を出力されると、塗布制御部１１５は、図８に示す処理を開始する。ステップＳ８０１では、塗布制御部１１５は、第１、第２の位置情報を取得し、該取得された第１、第２の位置情報をＲＡＭ６０３に格納する。ステップＳ８０２では、塗布制御部１１５は、ステップＳ８０１にて取得された第１、第２の位置情報に基づいて、対象となる耐圧欠陥に対してワニスを塗布するための塗布ノズル１１４の位置を演算して該塗布ノズルを位置させるべき位置情報を取得し、該演算位置情報を第１の位置情報に含まれる時刻Ｔ１と関連付けてＲＡＭ６０３に格納する。ステップＳ８０３では、塗布演算部１１５は、ＲＡＭ６０３に格納されている位置情報において、時刻Ｔ１が最も小さい（最も早く測定された）位置情報を対象となる耐圧欠陥に関する位置情報として抽出し、時刻Ｔ１と上記算出された到着時間とに基づいて、対象となる耐圧欠陥を塗布すべきタイミングを算出し、タイマシステム２０１を参照して現在の時刻が塗布タイミングよりも所定時間だけ前か否かを判定する。該塗布タイミングが所定時間よりも後である場合は、ワニス塗布動作準備に取り掛かるべく、ステップＳ８０４に進む。
【００４８】
一方、塗布タイミングが所定時間よりも前である場合は、対象となる耐圧欠陥に対するワニス塗布準備がまだ必要無いと判断し、次の耐圧欠陥に関する第１、第２の位置情報を取得すべく、ステップＳ８０１に進む。次いで、ステップＳ８０１、８０２にて次の耐圧欠陥に対する第１、第２の位置情報を取得し、該取得された情報に基づいて、次の耐圧欠陥に対する塗布ノズル１１４の位置を演算するが、塗布演算部１１５は、次の耐圧欠陥に対する塗布ノズル１１４の位置と該次の耐圧欠陥に対する時刻Ｔ１とを関連付けてＲＡＭ６０３に保存しているので、ＲＡＭ６０３には、耐圧欠陥のそれぞれに対する塗布ノズル１１４を位置させるべき位置情報と時刻情報とが関連付けて保持されることになる。よって、ある耐圧欠陥に対してワニス塗布が行われていない場合において、それ以降の耐圧欠陥に対する、塗布ノズルを位置させるべき位置情報を取得しても、塗布制御部１１５は、どの時刻にどの位置に塗布ノズル１１４を位置させるのかを認識することができる。すなわち、塗布制御部１１５は、ステップＳ８０１〜ステップＳ８０３のＹＥＳをループさせることにより、ある耐圧欠陥（これからワニスを塗布すべき耐圧欠陥）について、現在の時刻が塗布タイミングよりも所定時間だけ前である場合は、所定時間以内となるまで、該ある耐圧欠陥以降の耐圧欠陥に対する塗布ノズル１１４を位置させるべき位置情報を取得するのである。
【００４９】
ステップＳ８０４では、塗布制御部１１５は、ＲＡＭ６０３から対象となる耐圧欠陥に対する塗布ノズル１１４を位置させるべき位置情報を読み出し、塗布ノズル駆動部６０９を駆動して塗布ノズル１１４を適切な位置に移動させる。次いで、塗布制御部１１５は、ＲＡＭ６０３から今回読み出した位置情報を削除する。
なお、ＲＡＭ６０３に複数の耐圧欠陥に対する各位置情報が格納されている場合は、塗布制御部１１５は、時刻Ｔ１の値が最も小さい（最も早い時刻）位置情報を、対象となる耐圧欠陥に関する位置情報として読み出す。
【００５０】
ステップＳ８０５では、塗布制御部１１５は、タイマシステム２０１を参照し、対象となる耐圧欠陥に関する時刻Ｔ１および塗布ノズル１１４を位置させるべき位置情報に基づいてワニスを塗布するように塗布ノズル１１４を制御する。これにより、対象となる耐圧欠陥に直接、または間接的にワニスが塗布される。
【００５１】
ステップＳ８０６では、塗布制御部１１５は、ＲＡＭ６０３に次に処理すべき耐圧欠陥に関する位置情報が格納されているか判断し、格納されている場合は、ステップＳ８０３に進み、該次に処理すべき耐圧欠陥について現在の時刻が塗布タイミングから所定時間内か否かを判定する。格納されていない場合は、塗布制御部１１５は、ステップＳ８０７に進む。ステップＳ８０７では、塗布制御部１１５は、現在の巻線動作を終了させるか否かを判断し、巻線動作が終了ではないと判断する場合は、ステップＳ８０１に戻り、巻線動作が終了であると判断する場合は、巻線動作を終了する。例えば、巻線動作の終了の判断は、入力操作部６０７を介してユーザが終了指示を入力したか否かによって行えば良い。
【００５２】
本実施形態では、エナメル線１０５の周方向に欠陥検出範囲が互いに重ならないように複数のセンサ部（電極ブラシ）を設けているので、センサ部の数だけ周方向における耐圧欠陥の検知領域を分割することができる。従って、従来では、エナメル線１０５の周方向においては、大体どの辺に耐圧欠陥が存在する、という欠陥場所の大まかな位置を特定することすらできなかったが、本実施形態では、エナメル線１０５の周方向における耐圧欠陥が存在する部位を特定することができる。そして、上記検知領域の分割数に比例して（第２の欠陥検出センサ１０８のセンサ部の数に比例して）周方向における耐圧欠陥の位置の特定の精度を上げることができる。
【００５３】
このように、エナメル線１０５の周方向における耐圧欠陥が存在する部位を特定することができるので、人による点検工程や別個の検査装置を用いなくても、サプライリール１０６から供給されたエナメル線をボビン１１３に巻回する巻線工程内において、検出された耐圧欠陥に対してピンポイントでワニスを自動で塗布することができる。また、同一巻線工程内にて、耐圧欠陥に対してピンポイントでワニスを塗布することができるので、耐圧欠陥が存在していない箇所へのワニスの塗布を低減することができ、必要最小限のワニス塗布による耐圧欠陥補修を実施することができる。
【００５４】
また、ある巻線工程内で耐圧欠陥を検出し、該耐圧欠陥に対してワニスを塗布することによって補修することにより、耐圧欠陥に対する品質を同一巻線工程内で補償できるため、上述のように別工程での人による点検工程や特別な検査装置を設ける必要が無く、人件費、設備費、設備設置場所等を抑えることができる。また、耐圧欠陥部位を補修して、直接ボビン１１３に巻線していくため、同一巻線工程内での材料ロスを低減でき、歩留まり率向上につながる。また、同一巻線工程中で耐圧欠陥を修正することによって、耐圧欠陥に対してのリスクを低減することができるため、より安価な線材を用いることができ、製品価格の原価低減にもつながる。さらに、耐圧欠陥の周方向の場所が特定できるので、ワニス（絶縁物）を塗布する装置も簡素化・安価にできる。
【００５５】
（第２の実施形態）
本実施形態では、被巻装部品に巻かれた時に露出する側に存在する耐圧欠陥にのみ補修材として機能する絶縁物（例えば、ワニス）を塗布する。
図９は、本実施形態に係る第２の欠陥検出センサ１０８を説明するための図であえる。
図９に示されるように、本実施形態では、第１の実施形態の第２の欠陥検出センサ１０８の４つの電極ブラシ１０８ａ〜１０８ｄのうち、電極ブラシ１０８ｂおよび電極ブラシ１０８ｃを用いている。すなわち、エナメル線１０５がボビン１１３に巻き取られた場合に露出する側の耐圧欠陥を検出するセンサ部である電極ブラシ１０８ｂ、１０８ｃを用いる。
【００５６】
このような構成において、第１の欠陥検出センサ１０７および電極ブラシ１０８ｂ、１０８ｃはそれぞれ固定されているので、それらの間の相対距離は一定である。すなわち、第１の欠陥検出センサ１０７と電極ブラシ１０８ｂとの間の距離Ｄ１、および第１の欠陥検出センサ１０７と電極ブラシ１０８ｃとの間の距離Ｄ２はそれぞれ一定である。よって送り速度Ｖが一定であれば、第１の欠陥検出センサ１０７を通過したエナメル線１０５の部位が電極ブラシ１０８ｂに到達するまでの時間Ｔａ（＝Ｄ１／Ｖ）は一定であり、第１の欠陥検出センサ１０７を通過したエナメル線１０５の部位が電極ブラシ１０８ｃに到達するまでの時間Ｔｂ（＝Ｄ２／Ｖ）も一定である。よって、第１の欠陥検出部１１１から欠陥部位演算部１１０が第１の位置情報を受信した時刻と、第２の欠陥検出部１１２から欠陥部位演算部１１０が第２の位置情報を受信した時刻との差が、時間Ｔａと一致しているのであれば電極ブラシ１０８ｂで検知されたと言え、時間Ｔｂと一致しているのであれば電極ブラシ１０８ｃで検知されたと言える。
【００５７】
よって、本実施形態では、第２の欠陥検出部１１２は、第２の欠陥検出センサ１０８から検出信号を受信すると、ボビン１１３に巻回された時に露出する側に設けられた２つのセンサ部としての電極ブラシ１０８ｂ、１０８ｃのいずれか１つで耐圧欠陥を検出したと判断し、所定時（例えば、巻線動作開始時）からの経過時間を計時するタイマシステム２０１を参照して、第２の欠陥検出センサ１０８にて耐圧欠陥を検知した時刻Ｔ２を取得し、第２の位置情報としての、時刻Ｔ２を示す第２の時刻情報を欠陥部位演算部１１０に送る。欠陥部位演算部１１０は、第２の欠陥検出部１１２から入力された第２の時刻情報と第１の欠陥検出部１１１から入力された第１の位置情報（第１の時刻情報）とに基づいて、（時刻Ｔ２−時刻Ｔ１）を計算し、該差が予め保持された時間Ｔａ、Ｔｂのいずれか一方と一致するか否かを判定する。一致しない場合は、第１の欠陥検出センサ１０７にて検出された耐圧欠陥は、エナメル線１０５がボビン１１３に巻かれた際には隠れる側に存在する耐圧欠陥であると判定し、該耐圧欠陥に対してワニス塗布を行わない。一方、一致する場合は、第１の欠陥検出センサ１０７にて検出された耐圧欠陥は、エナメル線１０５がボビン１１３に巻かれた際には露出する側に存在する耐圧欠陥であると判定し、上記差が時間Ｔａと一致する場合は電極ブラシ１０８ｂにて耐圧欠陥が検出され、上記差が時間Ｔｂと一致する場合は電極ブラシ１０８ｃにて耐圧欠陥が検出されたと判定し、特定された電極ブラシを示す情報を第２の位置情報として出力する。
【００５８】
このように、本実施形態によれば、ボビン１１３に巻き取られた際に露出する側にのみワニスを塗布するようにするので、補修に用いるワニスの量をさらに低減することができる。
【００５９】
第１、第２の実施形態に示すように、本発明では、線材の、巻回部に巻回された時に露出する領域における耐圧欠陥が存在する部位を少なくとも検出し、該検出された、該露出する領域における耐圧欠陥に対してワニスといった絶縁物を塗布すれば、耐圧欠陥に対する必要最低限の補修を行うことができる。
【００６０】
（第３の実施形態）
第１、第２の実施形態では、第１の欠陥検出センサ１０７および第２の欠陥検出センサ１０８により、耐圧欠陥の延在方向の位置に関する第１の位置情報、および耐圧欠陥のエナメル線１０５の周方向の位置に関する第２の位置情報を取得しているが、該第1および第２の位置情報を取得できれば、他の構成を用いても良い。
【００６１】
例えば図２に示す構成において、第１の欠陥検出センサ１０７および第２の欠陥検出センサ１０８に代えて、図１０に示す欠陥検出センサ１００１を用いても良い。図１０において、欠陥検出センサ１００１は、互いに欠陥検出範囲が重ならないようにエナメル線１０５の周方向において互いに離間して配置された４つの電極ブラシ１００１ａ〜１００１ｄを有している。ただし、本実施形態では、制御装置２００のインタフェース部において、電極ブラシ１００１ａ〜１００１ｄの各々の信号を別個に入力するように４つの入力ポートが設けられている。
【００６２】
上記４つの入力ポートを介して入力された４つの検出信号は、それぞれ４つの欠陥検出部に入力される。すなわち、電極ブラシ１００１ａから出力された検出信号は第３の欠陥検出部に入力され、電極ブラシ１００１ｂから出力された検出信号は第４の欠陥検出部に入力され、電極ブラシ１００１ｃから出力された検出信号は第５の欠陥検出部に入力され、電極ブラシ１００１ｄから出力された検出信号は第６の欠陥検出部に入力される。第３〜第６の欠陥検出部はそれぞれ、所定時（例えば、巻線動作開始時）からの経過時間を計時するタイマシステム２０１を参照して、対応する電極ブラシにて耐圧欠陥を検知した時刻（時刻Ｔ１に相当）を取得し、該時刻情報を示す第１の位置情報、および自身を識別させるための識別情報を欠陥部位演算部１１０に送る。例えば、電極ブラシ１００１ａにて耐圧欠陥が検出された場合は、第３の欠陥検出部が該耐圧欠陥を検出した時刻を示す第１の位置情報、および該第１の位置情報を送る欠陥検出部は第３の欠陥検出部であることを示す識別情報を欠陥部位演算部１１０に送る。
【００６３】
欠陥部位演算部１１０は、第３〜第６の欠陥検出部から送られた識別情報に基づいて、電極ブラシ１００ａ〜１００１ｄのいずれで耐圧欠陥が検出されたかを特定し、特定された電極ブラシを示す情報を第２の位置情報として取得する。すなわち、本実施形態では、識別情報が第３の欠陥検出部を示すものである場合は耐圧欠陥を検出したセンサ部は電極ブラシ１００１ａであり、識別情報が第４の欠陥検出部を示すものである場合は耐圧欠陥を検出したセンサ部は電極ブラシ１００１ｂであり、識別情報が第５の欠陥検出部を示すものである場合は耐圧欠陥を検出したセンサ部は電極ブラシ１００１ｃであり、識別情報が第６の欠陥検出部を示すものである場合は耐圧欠陥を検出したセンサ部は電極ブラシ１００１ｄであると認識するように欠陥部位演算部１１０を構成すれば良い。
【００６４】
このように構成することで、図１０に示すような構成においても、第１、第２の実施形態と同様に、第１の位置情報、および第２の位置情報を取得し、同一巻線工程内において、耐圧欠陥の検出から補修まで自動で行うことができる。
【符号の説明】
【００６５】
１０１    供給側巻線ユニット
１０３    欠陥特定部
１０４    巻き取り側巻線ユニット
１０７    第１の欠陥検出センサ
１０８    第２の欠陥検出センサ
１１０    欠陥部位演算部
１１１    第１の欠陥検出部
１１２    第２の欠陥検出部
１１４    塗布ノズル
１１５    塗布制御部
【図１】
2014053340.tif 000003
【図２】
2014053340.tif 000004
【図３】
2014053340.tif 000005
【図４】
2014053340.tif 000006
【図５】
2014053340.tif 000007
【図６】
2014053340.tif 000008
【図７】
2014053340.tif 000009
【図８】
2014053340.tif 000010
【図９】
2014053340.tif 000011
【図１０】
2014053340.tif 000012